(57)【要約】【課題】  演奏者が自分で演奏している曲の何処でどのようにテンポが変化しているかを認識することができるテンポ表示装置を提供する。【解決手段】  基準テンポを含むテンポ情報を設定するテンポ情報入力手段と、前記テンポ情報入力手段により入力されたテンポ情報を記憶する記憶手段と、演奏テンポを入力するテンポ入力手段と、前記テンポ入力手段から入力されたテンポを計測するテンポ測定手段と、テンポ情報を表示する第１の表示手段と、前記記憶手段より前記基準テンポを読み出し、該基準テンポと、前記テンポ測定手段により測定した演奏テンポとを比較し、時系列でその比較結果の履歴を前記第１の表示手段に表示させるとともに、前記記憶手段に保存する制御手段とを有する。【選択図】  図１
2009186591.tif 000002
【特許請求の範囲】
【請求項１】
基準テンポを含むテンポ情報を設定するテンポ情報入力手段と、
前記テンポ情報入力手段により入力されたテンポ情報を記憶する記憶手段と、
演奏テンポを入力するテンポ入力手段と、
前記テンポ入力手段から入力されたテンポを計測するテンポ測定手段と、
テンポ情報を表示する第１の表示手段と、
前記記憶手段より前記基準テンポを読み出し、該基準テンポと、前記テンポ測定手段により測定した演奏テンポとを比較し、時系列でその比較結果の履歴を前記第１の表示手段に表示させるとともに、前記記憶手段に保存する制御手段と、
を有することを特徴とするテンポ表示装置。
【請求項２】
前記テンポ情報入力手段により設定されるテンポ情報には、前記テンポ入力手段により入力されるテンポの移動平均の対象となる指定データ数が含まれ、
前記制御手段は、前記テンポ測定手段により計測された現時点のテンポを含む、直近の前記指定データ数分の計測されたテンポの移動平均値を算出し、該算出した移動平均値を現時点のテンポとして前記基準テンポとの比較結果の履歴を前記指定データ数とともに、前記第１の表示手段に時系列で表示させることを特徴とする請求項１に記載のテンポ表示装置。
【請求項３】
さらに、テンポ情報入力手段により設定された基準テンポとテンポ入力手段により入力された演奏テンポとの比較結果をリアルタイムで表示する第２の表示手段を有し、
前記制御手段は、現時点における前記演奏テンポが前記基準テンポより速いか、遅いかのいずれかの状態を前記第２の表示手段により２値的に表示することを特徴とする請求項１または２のいずれかに記載のテンポ表示装置。
【請求項４】
予め設定された基準テンポと、入力された演奏テンポとを比較し、時系列でその比較結果の履歴を表示手段に表示させることを特徴とするテンポ表示方法。
【請求項５】
テンポ情報として移動平均の対象となるデータ数が指定された場合には、
入力された演奏テンポのうち、入力された現時点のテンポを含む、直近の前記指定データ数分の計測されたテンポの移動平均値を算出し、該算出した移動平均値を現時点のテンポとして前記基準テンポとの比較結果の履歴を前記指定データ数とともに、前記表示手段に時系列で表示させることを特徴とする請求項４に記載のテンポ表示方法。
【請求項６】
現時点における前記演奏テンポが前記基準テンポより速いか、遅いかのいずれかの状態を２値的に表示手段に表示することを特徴とする請求項４または５のいずれかに記載のテンポ表示方法。
【発明の詳細な説明】
【技術分野】
【０００１】
本発明は、打楽器等の楽器を演奏する際のテンポを表示するテンポ表示装置及びテンポ表示方法に関する。
【背景技術】
【０００２】
従来のテンポ表示装置としては、以前に自分で演奏したテンポを記憶しておき、記憶されているそのテンポと、現在演奏している楽器のテンポとを比較し、その比較結果にずれが有る場合にそのずれを表示するものがある（例えば、特許文献１参照）。
また、本来の曲のテンポと、現在自分で演奏している曲のテンポとを比較し、上記本来の曲のテンポと、演奏しているテンポとの差を演奏者の熟練度に応じて表示するテンポ情報出力装置が提案されている（例えば、特許文献２参照）。
【０００３】
【特許文献１】特開２００５−６２６９７号公報
【特許文献２】特開２００６−６５１８６号公報
【発明の開示】
【発明が解決しようとする課題】
【０００４】
上述したように、特許文献１、２に記載の従来のテンポ表示装置は、いずれも基準となるテンポと、比較対象となる演奏者が演奏時のテンポとのずれを表示するものであるが、そのずれの表示は、あくまで現時点における内容しか表示しないため、演奏者は演奏している曲の何処でテンポが変化しているか認識することができない、という問題が有った。
【０００５】
本発明は、このような事情に鑑みてなされたものであり、演奏者が自分で演奏している曲の何処でどのようにテンポが変化しているかを認識することができるテンポ表示装置及びテンポ表示方法を提供することを目的とする。
【課題を解決するための手段】
【０００６】
上記目的を達成するために、本発明のテンポ表示装置は、基準テンポを含むテンポ情報を設定するテンポ情報入力手段と、前記テンポ情報入力手段により入力されたテンポ情報を記憶する記憶手段と、演奏テンポを入力するテンポ入力手段と、前記テンポ入力手段から入力されたテンポを計測するテンポ測定手段と、テンポ情報を表示する第１の表示手段と、前記記憶手段より前記基準テンポを読み出し、該基準テンポと、前記テンポ測定手段により測定した演奏テンポとを比較し、時系列でその比較結果の履歴を前記第１の表示手段に表示させるとともに、前記記憶手段に保存する制御手段とを有することを特徴とする。
【０００７】
上記構成からなる本発明のテンポ表示装置では、テンポ情報入力手段により基準テンポを含むテンポ情報が設定入力され、テンポ情報入力手段により入力されたテンポ情報が記憶手段により記憶される。
テンポ入力手段により演奏テンポが入力されると、この演奏テンポは、テンポ測定手段により計測される。
制御手段は、前記記憶手段より前記基準テンポを読み出し、該基準テンポと、前記テンポ測定手段により測定した演奏テンポとを比較し、時系列でその比較結果の履歴を、テンポ情報を表示する第１の表示手段に表示させるとともに、前記記憶手段に保存する。
【０００８】
このように、時系列で基準テンポと演奏テンポの比較結果の履歴を表示することにより、すなわち演奏テンポの基準テンポからのずれを時間経過とともに表示することにより、どのタイミングで演奏テンポが基準テンポからずれている（乱れている）のか、あるいは基準テンポに対して演奏テンポがどのようにずれているのかを確認することが可能となる。この結果、一定のテンポで演奏する練習をすることができるという効果がある。
また、テンポが変化する曲の練習をする場合、テンポの変更を乱れなくできるように練習することができる。
さらに、自分の演奏によるテンポデータが記憶手段に保存されるので、演奏終了後も自分の演奏テンポを確認することができる。
【０００９】
本発明のテンポ表示装置は、前記テンポ情報入力手段により設定されるテンポ情報には、前記テンポ入力手段により入力されるテンポの移動平均の対象となる指定データ数が含まれ、前記制御手段は、前記テンポ測定手段により計測された現時点のテンポを含む、直近の前記指定データ数分の計測されたテンポの移動平均値を算出し、該算出した移動平均値を現時点のテンポとして前記基準テンポとの比較結果の履歴を前記指定データ数とともに、前記第１の表示手段に時系列で表示させることを特徴とする。
【００１０】
上記構成からなる本発明のテンポ表示装置では、制御手段は、テンポ測定手段により計測された現時点のテンポを含む、直近の前記指定データ数分の計測されたテンポの移動平均値を算出し、該算出した移動平均値を現時点のテンポとして前記基準テンポとの比較結果の履歴を前記指定データ数とともに、前記第１の表示手段に時系列で表示させる。
これにより、テンポ測定手段により計測される演奏テンポの移動平均の対象となるデータ数を適宜、指定することにより、演奏テンポの時系列的な変化状態を平滑化する度合いを変更することができ、自分の目的とするテンポの変化状態に応じた演奏の練習をすることが可能となる。
【００１１】
本発明のテンポ表示装置は、さらに、テンポ情報入力手段により設定された基準テンポとテンポ入力手段により入力された演奏テンポとの比較結果をリアルタイムで表示する第２の表示手段を有し、前記制御手段は、現時点における前記演奏テンポが前記基準テンポより速いか、遅いかのいずれかの状態を前記第２の表示手段により２値的に表示することを特徴とする。
【００１２】
上記構成からなる本発明のテンポ表示装置では、前記制御手段は、現時点における前記演奏テンポが前記基準テンポより速いか、遅いかのいずれかの状態を前記第２の表示手段により２値的に表示する。
これにより、前記第１の表示手段による、時系列での基準テンポと演奏テンポの比較結果の履歴の表示に加えて、現時点の演奏テンポが基準テンポより速いか、遅いかを第２の表示手段に２値的に表示することにより、現時点における演奏テンポの状態を瞬時にかつ明確に認識することができる。ここで、本明細書で「２値的」とは、２つの状態を異なる表示形態で端的に表示することを意味するものとし、例えば、発光素子でこの表示を行う場合には、「発光素子の発光、非発光」、「異なる発光色の発光素子を２つの状態に対応させて発光させる」、「発光素子の連続発光、間欠発光」等がこれに該当する。
【００１３】
本発明のテンポ表示方法は、予め設定された基準テンポと、入力された演奏テンポとを比較し、時系列でその比較結果の履歴を表示手段に表示させるとともに、記憶手段に保存することを特徴とする。
【００１４】
上記構成からなるテンポ表示方法では、予め設定された基準テンポと、入力された演奏テンポとを比較し、時系列でその比較結果の履歴をグラフ状に表示手段に表示させる。
これにより、どのタイミングで演奏テンポが基準テンポからずれている（乱れている）のか、あるいは基準テンポに対して演奏テンポがどのようにずれているのかを確認することが可能となる。この結果、一定のテンポで演奏する練習をすることができるという効果がある。
また、テンポが変化する曲の練習をする場合、テンポの変更を乱れなくできるように練習することができる。
さらに、自分の演奏によるテンポデータが記憶手段に保存されるので、演奏終了後も自分の演奏テンポを確認することができる。
【００１５】
本発明のテンポ表示方法は、テンポ情報として移動平均の対象となるデータ数が指定された場合には、入力された演奏テンポのうち、入力された現時点のテンポを含む、直近の前記指定データ数分の計測されたテンポの移動平均値を算出し、該算出した移動平均値を現時点のテンポとして前記基準テンポとの比較結果の履歴を前記指定データ数とともに、前記表示手段に時系列で表示させることを特徴とする。
【００１６】
上記構成からなるテンポ表示方法では、入力された演奏テンポのうち、入力された現時点のテンポを含む、直近の指定データ数分の計測されたテンポの移動平均値を算出し、該算出した移動平均値を現時点のテンポとして前記基準テンポとの比較結果の履歴を前記指定データ数とともに、前記表示手段に時系列で表示させる。
これにより、演奏テンポの移動平均の対象となるデータ数を適宜、指定することにより、演奏テンポの時系列的な変化状態を平滑化する度合いを変更することができ、自分の目的とするテンポの変化状態に応じた演奏の練習をすることが可能となる。
【００１７】
本発明のテンポ表示方法は、現時点における前記演奏テンポが前記基準テンポより速いか、遅いかのいずれかの状態を２値的に表示手段に表示することを特徴とする。
【００１８】
上記構成からなるテンポ表示方法では、現時点における前記演奏テンポが前記基準テンポより速いか、遅いかのいずれかの状態を２値的に表示手段に表示する。
これにより、時系列での基準テンポと演奏テンポの比較結果の履歴の表示に加えて、現時点の演奏テンポが基準テンポより速いか、遅いかを第２の表示手段に２値的に表示することにより、現時点における演奏テンポの状態を瞬時にかつ明確に認識することができる。
【発明の効果】
【００１９】
以上説明したように、本発明によれば、予め設定された基準テンポと、入力された演奏テンポとを比較し、時系列でその比較結果の履歴を表示手段に表示させるとともに、記憶手段に保存するようにしたので、どのタイミングで演奏テンポが基準テンポからずれている（乱れている）のか、あるいは基準テンポに対して演奏テンポがどのようにずれているのかを確認することが可能となる。この結果、一定のテンポで演奏する練習をすることができるという効果がある。
また、テンポが変化する曲の練習をする場合、テンポの変更を乱れなくできるように練習することができる。
さらに、自分の演奏によるテンポデータが記憶手段に保存されるので、演奏終了後も自分の演奏テンポを確認することができる。
【発明を実施するための最良の形態】
【００２０】
以下、本発明の実施形態を、図面を参照して説明する。
[第１実施形態]
本発明の第１実施形態に係るテンポ表示装置の構成を図１に示す。同図において、本実施形態に係るテンポ表示装置１は、演奏テンポを入力する入力装置１０と、入力装置から入力される信号を波形整形する入力回路１２と、テンポ情報を設定するためのスイッチ１４と、制御装置１６と、表示装置１８とを有している。
【００２１】
入力装置１０は、図２に示すように、例えば、自動復帰型のスイッチ、あるいいはドラム・パッド（振動センサが設けられており、電気信号が取り出されるようになっている）、あるいはドラム等の音響をマイクで電気信号に変換して出力するタイプの装置である。入力装置１０は、本発明のテンポ入力手段に相当する。
入力回路１２は、波形整形回路で構成され、入力装置から出力される信号を波形整形する機能を有している。
【００２２】
スイッチ１４は、基準テンポの設定、演奏テンポの移動平均の対象となるデータ数の指定を行うスイッチ類から構成されている。スイッチ１４は、本発明のテンポ情報入力手段に相当する。
制御装置１６は、テンポ測定部１６０と、テンポ比較部／表示制御部１６１と、スイッチ入力処理部１６２と、基準テンポ・移動平均数設定部１６３と、記憶部１６４とを有している。
【００２３】
テンポ測定部１６０は、入力回路１２から入力された信号の時間間隔から演奏テンポを計測し、演奏テンポデータをテンポ比較部／表示制御部１６１に出力する。テンポ測定部１６０は本発明のテンポ測定手段に相当する。
テンポ比較部／表示制御部１６１は、演奏テンポの移動平均処理と演奏テンポと基準テンポとの時系列での比較結果の表示を行うための表示装置１８の制御を行う。
【００２４】
スイッチ入力処理部１６２は、スイッチ１４の設定入力に応じて基準テンポの数値、や移動平均の対象となる演奏テンポのデータ数の数値を入力できる形式にデータを処理する機能を有している。
基準テンポ・移動平均数設定部１６３は、スイッチ入力処理部１６２より入力された数値入力データに基づいて記憶部１６４に基準テンポ、演奏テンポの移動平均数、すなわち移動平均の対象となる直近の指定データ数を記憶部１６４に出力する機能を有している。
【００２５】
記憶部１６４は、入力装置１０により演奏されたテンポ、すなわち演奏テンポ、及び、スイッチ１４により設定された基準テンポ、演奏テンポの移動平均数を記憶する。
テンポ比較部／表示制御部１６１は、記憶部１６４により基準テンポを読み出し、該基準テンポと、テンポ測定部１６０により測定した演奏テンポとを比較し、時系列でその比較結果の履歴を、表示装置１８に表示させるとともに、記憶部１６４に保存する機能を有している。テンポ比較部／表示制御部１６１は本発明の制御手段に相当する。
【００２６】
また、記憶部１６４は、テンポ比較部／表示制御部１６１の制御下において、時系列で基準テンポと、テンポ測定部１６０により測定した演奏テンポの比較結果の履歴を記憶する。記憶部１６４は、本発明の記憶手段に相当する。
表示装置１８は、テンポ比較部／表示制御部１６１の制御下において時系列で基準テンポと、テンポ測定部１６０により測定した演奏テンポの比較結果の履歴を表示する。表示装置１８は、本発明の第１の表示手段に相当する。
【００２７】
上記構成からなる本発明の第１実施形態に係るテンポ表示装置の動作を図３のフローチャートを参照して説明する。
まず、演奏者が入力装置１０により曲を演奏する前に、予め、スイッチ１４により、基準テンポの設定、演奏テンポの移動平均計算の対象となるデータ数の指定が行われる。スイッチ１４による設定情報である基準テンポ、演奏テンポの移動平均計算の対象となるデータ数が、スイッチ入力処理部１６２を介して基準テンポ・移動平均数設定部１６３により記憶部１６４に入力され、記憶部１６４に記憶される。
【００２８】
このような状態下で、演奏者により入力装置１０が操作されると、入力装置１０から出力される演奏信号が入力回路１２で波形整形されて制御装置１６内のテンポ測定部１６０に入力される。
テンポ測定部１６０は、入力された演奏信号の立ち上がりのタイミングを検出して入力された演奏信号の時間間隔を計測する（ステップ２００）。
【００２９】
次いで、テンポ測定部１６０は計測された演奏信号の時間間隔から演奏テンポに変換する（ステップ２０１）。すなわち、演奏テンポを計測する。テンポ測定部１６０は、この演奏テンポを示すテンポデータをテンポ比較部／表示制御部１６１に出力する。
テンポ比較部／表示制御部１６１は、テンポ測定部１６０から演奏テンポを取り込み、記憶部１６４から読み出した移動平均数、すなわち、移動平均計算の対象となる現時点の演奏テンポを含む直近の過去に遡った指定データ数に基づいて演奏テンポの移動平均計算を行う（ステップ２０２）。
【００３０】
移動平均計算された演奏テンポ（計測されたテンポ）を記憶部１６４に保存し（ステップ２０３）、記憶部１６４に保存されている基準テンポのデータを読み込む（ステップ２０４）。
テンポ比較部／表示制御部１６１は、記憶部１６４から読み込んだ基準テンポと、テンポ測定部１６０により計測し、かつ移動平均を取った演奏テンポとを比較し（ステップ２０５）、時系列でその比較結果の履歴を、表示装置１８に表示させるとともに、記憶部１６４に保存する（ステップ２０６）。
【００３１】
ここで、テンポ比較部／表示制御部１６１は、テンポ測定部１６０により計測された現時点のテンポを含む、直近の前記指定データ数分の計測された演奏テンポの移動平均値を算出し、該算出した移動平均値を現時点のテンポとして前記基準テンポとの比較結果の履歴を前記指定データ数とともに、表示装置１８に時系列で表示させる。
【００３２】
基準テンポと演奏テンポとの比較結果の履歴を時系列で表示する表示例を図４に示す。同図に示すように表示装置１８には演奏テンポを基準テンポとの比較において、その比較結果が時系列でグラフ表示される。表示装置１８の表示画面において点滅表示されているのは、現在の演奏テンポである。因みに移動平均数が４の場合について示している。
【００３３】
基準テンポと演奏テンポとの比較結果の履歴を時系列で表示する他の表示例を図５に示す。この表示例では、テンポが変化する曲を演奏する場合において、基準テンポを時間経過と共に変化させた場合について示している。
【００３４】
本発明の第１の実施形態に係るテンポ表示装置によれば、このように、時系列で基準テンポと演奏テンポの比較結果の履歴を表示することにより、すなわち演奏テンポの基準テンポからのずれを時間経過とともに表示することにより、どのタイミングで演奏テンポが基準テンポからずれている（乱れている）のか、あるいは基準テンポに対して演奏テンポがどのようにずれているのかを確認することが可能となる。この結果、一定のテンポで演奏する練習をすることができるという効果がある。
【００３５】
また、テンポが変化する曲の練習をする場合、テンポの変更を乱れなくできるように練習することができる。
さらに、自分の演奏によるテンポデータが記憶手段に保存されるので、演奏終了後も自分の演奏テンポを確認することができる。
【００３６】
さらに、テンポ測定部１６０により計測された現時点のテンポを含む、直近の前記指定データ数分の計測されたテンポの移動平均値を算出し、該算出した移動平均値を現時点のテンポとして前記基準テンポとの比較結果の履歴を前記指定データ数とともに、表示装置１８に時系列で表示させるようにしたので、テンポ測定部１６０により計測される演奏テンポの移動平均の対象となるデータ数を適宜、指定することにより、演奏テンポの時系列的な変化状態を平滑化する度合いを変更することができ、自分の目的とするテンポの変化状態に応じた演奏の練習をすることが可能となる。
【００３７】
[第２実施形態]
本発明の第２実施形態に係るテンポ表示装置の構成を図６に示す。本実施形態に係るテンポ表示装置１Ａは、演奏テンポを入力する入力装置１０と、入力装置から入力される信号を波形整形する入力回路１２と、テンポ情報を設定するためのスイッチ１４と、制御装置１６と、表示装置１８と、ＬＥＤ表示部２０とを有している。ＬＥＤ表示部２０は本発明の第２の表示手段に相当する。
【００３８】
本発明の第２実施形態に係るテンポ表示装置が、第１実施形態に係るテンポ表示装置と構成上、異なるのは、複数の発光素子及び駆動回路を含んで構成されるＬＥＤ表示部２０が追加されたことと、テンポ比較部／表示制御部１６１の機能として、基準テンポと演奏テンポとの現時点での比較結果を２値的にＬＥＤ表示部２０に表示する機能が追加されただけであり、他の構成は第１実施形態と同様であるので、重複する説明は省略する。
【００３９】
本発明の第２実施形態に係るテンポ表示装置では、テンポ比較部／表示制御部１６１は、現時点における前記演奏テンポが前記基準テンポより速いか、遅いかのいずれかの状態をＬＥＤ表示部２０により２値的に表示する。本実施形態では、演奏テンポが前記基準テンポより速い場合には青色の発光ダイオードを発光させ、遅い場合には赤色の発光ダイオードを発光させるものとする。
これにより、表示装置１８による、時系列での基準テンポと演奏テンポの比較結果の履歴の表示に加えて、現時点の演奏テンポが基準テンポより速いか、遅いかをＬＥＤ表示部２０に２値的に表示することにより、現時点における演奏テンポの状態を瞬時にかつ明確に認識することができる。
【００４０】
ここで、「２値的」とは、２つの状態を異なる表示形態で端的に表示することを意味するものとし、例えば、発光素子でこの表示を行う場合には、「発光素子の発光、非発光」、「異なる発光色の発光素子を２つの状態に対応させて発光させる」、「発光素子の連続発光、間欠発光」等がこれに該当する。
【図面の簡単な説明】
【００４１】
【図１】本発明の第１実施形態に係るテンポ表示装置の構成を示すブロック図。
【図２】図１に示した本発明の第１実施形態に係るテンポ表示装置における入力装置の具体的内容を示すブロック図。
【図３】図１に示した本発明の第１実施形態に係るテンポ表示装置の動作を示すフローチャート。
【図４】図１に示した本発明の第１実施形態に係るテンポ表示装置における一つの表示例を示す説明図。
【図５】図１に示した本発明の第１実施形態に係るテンポ表示装置における他の表示例を示す説明図。
【図６】本発明の第２実施形態に係るテンポ表示装置の構成を示すブロック図。
【符号の説明】
【００４２】
１０…入力装置、１２…入力回路、１４…スイッチ、１６…制御装置、１８…表示装置、２０…ＬＥＤ表示部、１６０…テンポ測定部、１６１…テンポ比較部／表示制御部、１６２…スイッチ入力処理部、１６３…基準テンポ・移動平均数設定部、１６４…記憶部
【図１】
2009186591.tif 000003
【図２】
2009186591.tif 000004
【図３】
2009186591.tif 000005
【図４】
2009186591.tif 000006
【図５】
2009186591.tif 000007
【図６】
2009186591.tif 000008